(57)【要約】【課題】  ディスク表面上の微粒子を効果的に除去することが可能なデータデータ記憶装置用の微粒子除去装置を提供する。【解決手段】  固定部３１０と，上記固定部からディスク側に延設され，ディスク２０の上面および底面とそれぞれオーバーラップする加圧板３３０とを備え，上記加圧板のディスク対向面３３２は，上記ディスク側に凸状に形成され，上記ディスクが回転し，上記加圧板を通過するとき，回転方向に沿って上記ディスク対向面と上記ディスク間の間隔が次第に狭くなり，再び次第に広くなる，データ記憶装置用微粒子除去装置が提供される。かかる構成により，ディスクの表面と加圧板間を通過する流動空気の圧力の変化によってディスクの表面上の微粒子が効果的に除去され，微粒子によるディスク表面とヘッドの汚染および損傷が防止される。【選択図】    図９
2004355798.tif 000002
【特許請求の範囲】
【請求項１】
ディスクの表面に付着した微粒子を除去するためのデータ記憶装置用微粒子除去装置において：
前記データ記憶装置のベースプレートに固定される固定部と；
前記固定部から前記ディスク側に延設され，前記ディスクの上面および底面とそれぞれオーバーラップする加圧板と；
を備え，
前記加圧板のディスク対向面は，前記ディスク側に凸状に形成され，前記ディスクが回転し，前記加圧板を通過するとき，回転方向に沿って前記ディスク対向面と前記ディスク間の間隔が次第に狭くなり，再び次第に広くなることを特徴とする，データ記憶装置用微粒子除去装置。
【請求項２】
前記加圧板のディスク対向面は，回転方向に流線型の曲面で形成されることを特徴とする，請求項１に記載のデータ記憶装置用微粒子除去装置。
【請求項３】
前記加圧板は，前記ディスクの外側のエッジ部近傍の表面とオーバーラップすることを特徴とする，請求項１に記載のデータ記憶装置用微粒子除去装置。
【請求項４】
前記加圧板は，前記ディスクの内周近傍までの表面とオーバーラップすることを特徴とする，請求項１に記載のデータ記憶装置用微粒子除去装置。
【請求項５】
前記加圧板のオーバーラップする領域は，前記ディスクの内周から外注側に行くほど次第に広くなることを特徴とする，請求項４に記載のデータ記憶装置用微粒子除去装置。
【請求項６】
前記固定部と加圧板とはプラスチック射出成形によって一体に形成されることを特徴とする，請求項１に記載のデータ記憶装置用微粒子除去装置。
【請求項７】
前記固定部と加圧板とは別体に形成された後結合されることを特徴とする，請求項１に記載のデータ記憶装置用微粒子除去装置。
【請求項８】
前記データ記憶装置は，前記ディスクの回転停止時に読出し／書込みヘッドをパーキングさせるランプを有するデータ記憶装置に設置されることを特徴とする，請求項１に記載のデータ記憶装置用微粒子除去装置。
【請求項９】
前記微粒子除去装置は，前記ランプに隣接して設置されることを特徴とする，請求項８に記載のデータ記憶装置用微粒子除去装置。
【請求項１０】
ディスクの回転停止時に読出し／書込みヘッドをパーキングさせるデータ記憶装置用ランプにおいて：
前記データ記憶装置のベースプレートに固定される固定部と；
前記固定部から前記ディスク側に延設され，前記ディスクの外側のエッジ部の上面および底面とそれぞれオーバーラップし，前記ディスクの回転停止時にアクチュエータのエンドタップが接触支持される支持面を有する支持部と；
前記ディスクの表面に付着した微粒子を除去するために，前記固定部から前記ディスク側に延設され，前記ディスクの上面および底面とそれぞれオーバーラップし，前記ディスクが回転し，前記加圧板を通過するとき，回転方向に沿って前記ディスクとの間隔が次第に狭くなり，再び次第に広くなるように前記ディスク側に凸状に形成されたディスク対向面を有する加圧板と；
を備えることを特徴とする，データ記憶装置用ランプ。
【請求項１１】
前記加圧板のディスク対向面は，回転方向に流線型の曲面で形成されることを特徴とする，請求項１０に記載のデータ記憶装置用ランプ。
【請求項１２】
前記加圧板は，前記ディスクの外側のエッジ部近傍の表面とオーバーラップすることを特徴とする，請求項１０に記載のデータ記憶装置用ランプ。
【請求項１３】
前記固定部と支持部および加圧板は，プラスチック射出成形によって一体に形成されることを特徴とする，請求項１０に記載のデータ記憶装置用ランプ。
【請求項１４】
ディスクと；
前記ディスクに隣接して配置され，前記ディスクの表面に付着した微粒子を除去する微粒子除去装置と；
を備え，
前記微粒子除去装置は，
データ記憶装置のベースプレートに固定される固定部と；
前記固定部から前記ディスク側に延設され，前記ディスクの上面および底面とそれぞれオーバーラップする加圧板と；
を備え，
前記加圧板のディスク対向面は，前記ディスク側に凸状に形成され，前記ディスクが回転し，前記加圧板を通過するとき，回転方向に沿って前記ディスク対向面と前記ディスク間の間隔が次第に狭くなり，再び次第に広くなることを特徴とする，データ記憶装置。
【請求項１５】
前記ディスクと前記微粒子除去装置とに隣接設置され，ディスクの回転停止時に前記読出し／書込みヘッドをパーキングさせるランプをさらに備えることを特徴とする，請求項１４に記載のデータ記憶装置。
【請求項１６】
前記微粒子除去装置は，前記ディスクの外側近傍の表面に付着した微粒子を除去することを特徴とする，請求項１４に記載のデータ記憶装置。
【請求項１７】
前記加圧板は，前記固定部から前記ディスクの内周近傍までの表面とオーバーラップし，前記ディスクの表面全体から微粒子を除去することを特徴とする，請求項１４に記載のデータ記憶装置。
【請求項１８】
前記ディスク対向面の凸形状は前記加圧板と前記ディスクの上面間の空気圧力，および，前記加圧板と前記ディスクの底面間の空気圧力を変化させることによって，流動空気の流速を速くし，前記ディスクに付着した微粒子を除去することを特徴とする，請求項１４に記載のデータ記憶装置。
【請求項１９】
複数のディスクと；
前記ディスクの表面に付着した微粒子を除去するため，前記複数のディスクに隣接配置された微粒子除去装置と；
を備え，
前記微粒子除去装置は，
前記データ記憶装置のベースプレートに固定される固定部と；
前記固定部から前記ディスク側に延設され，前記ディスク間に介在される加圧板と；
を備え，
前記加圧板のディスク対向面は，前記ディスク側に凸状に形成され，前記ディスクが回転し，前記加圧板を通過するとき，回転方向に沿って前記ディスク対向面と前記ディスク間の間隔が次第に狭くなり，再び次第に広くなることを特徴とする，データ記憶装置。
【発明の詳細な説明】
【技術分野】
【０００１】
本発明は，ハードディスクドライブ等のデータ記憶装置に係り，さらに詳細にはディスク表面上の微粒子（ｐａｒｔｉｃｌｅ）を効果的に除去可能なデータ記憶装置用微粒子除去装置，データ記憶装置用ランプおよびデータ記憶装置に関する。
【背景技術】
【０００２】
コンピュータのデータ記憶装置のうちの一つであるハードディスクドライブ（ＨＤＤ：Ｈａｒｄ  Ｄｉｓｋ  Ｄｒｉｖｅ）は，読出し／書込みヘッドを使用してディスクに保存されたデータを再生するか，またはディスクにデータを記録する装置である。このようなＨＤＤにおいて，上記ヘッドは，回転するディスクの記録面から所定高さに浮き上がった状態のままアクチュエータによって所望の位置に移動し，その機能を遂行する。
【０００３】
一方，ＨＤＤが作動しない時，すなわち，ディスクの回転が停止した時には上記ヘッドがその揚力の低下によりディスクの記録面にぶつからないように，上記ヘッドをディスクの記録面から外れた位置にパーキングさせる。このようなヘッドパーキングシステムは，大きくＣＳＳ（Ｃｏｎｔａｃｔ  Ｓｔａｒｔ  Ｓｔｏｐ）方式とランプローディング方式とに分けることができる。上記ＣＳＳ方式は，ディスクの内周側にデータを記録しないパーキングゾーンを設け，そのパーキングゾーンに上記ヘッドを接触させてパーキングさせる方式である。上記ランプローディング方式は，ディスクの外郭側にランプを設置し，このランプ上に上記ヘッドをパーキングさせる方式である。
【０００４】
ＣＳＳ方式のヘッドパーキングシステムによれば，ディスクの内周側にパーキングゾーンを設ける必要があるので，データ保存空間が縮小されるという短所がある。したがって，近日は，次第に高いデータ記録密度を要求する趨勢に応じて，ディスクの表面にパーキングゾーンを設ける必要がなく，さらに広いデータ保存空間を確保できるランプローディング方式のヘッドパーキングシステムが広く採用されている。
【０００５】
図１は，従来のランプローディング方式のヘッドパーキングシステムが採用されたＨＤＤを概略的に示す平面図であり，図２は，図１に示されたランプ部位を拡大して示す部分斜視図である。
【０００６】
図１と図２とを共に参照すれば，ＨＤＤにはベースプレート１０上に設置されたスピンドルモータ１２と，上記スピンドルモータ１２に設置された１または２以上のディスク２０と，データの再生／記録のための読出し／書込みヘッドが搭載されたスライダ３４をディスク２０上の所定位置に移動させるためのアクチュエータ３０と，が備わる。
【０００７】
上記アクチュエータ３０は，ベースプレート１０に設置されたアクチュエータピボット３１に回転可能に結合されたスイングアーム３２と，スイングアーム３２の一側端部に設置されてスライダ３４をディスク２０の表面側に付勢されるように支持するサスペンション３３と，スイングアーム３２を回転させるためのボイスコイルモータ（ＶＣＭ：Ｖｏｉｃｅ  Ｃｏｉｌ  Ｍｏｔｏｒ）とを有する。上記ＶＣＭは，スイングアーム３２の他側端部に結合されるＶＣＭコイル３６と，ＶＣＭコイル３６の下部に設置される下部ヨーク３７と，下部ヨーク３７の上面に設けられたマグネット３８と，からなっている。一方，上記ＶＣＭは図示されていないが，ＶＣＭコイル３６の上部に設置される上部ヨークと，上部ヨークの底面に付着されるマグネットとを備えうる。
【０００８】
上記構成を有するＶＣＭは，サーボ制御システムによって制御され，ＶＣＭコイル３６に入力される電流とマグネット３８によって形成された磁場との相互作用によって，フレミングの左手法則による方向にスイングアーム３２を回転させる。すなわち，ＨＤＤの電源がオンとなってディスク２０が矢印Ｄ方向に回転し始めれば，ＶＣＭはスイングアーム３２を逆時計回り（矢印Ａ方向）に回転させ，読出し／書込みヘッドの搭載されたスライダ３４をディスク２０の記録面上に移動させる。上記スライダ３４は，回転するディスク２０によって発生する揚力によってディスク２０の表面から所定高さに浮き上がり，このような状態でスライダ３４に搭載されたヘッドはディスク２０の記録面に対してデータを再生／記録する機能を遂行する。
【０００９】
一方，ＨＤＤが作動しない時，すなわちディスク２０の回転が停止した時に，上記ヘッドは，ディスク２０の記録面にぶつからないように，ヘッドをディスク２０の記録面から外れた位置にパーキングする。このために，ディスク２０の外郭側にはランプ４０が設置されており，サスペンション３３の端部にはエンドタップ３５が延設される。
【００１０】
上記ランプ４０は，ベースプレート１０に固定される固定部４１と，上記固定部４１からディスク２０側に（ディスク２０の略中心に向かって）延設され，ディスク２０の外側のエッジ部とオーバーラップし，エンドタップ３５を支持する支持面４３を有する支持部４２とで構成される。上記支持面４３のディスク２０側の端部は傾斜して形成され，エンドタップ３５のローディングとアンローディングとが円滑になされる。上記エンドタップ３５は，ランプ４０の支持面４３との接触面積を縮小させるために，一般的に支持面４３側に凸形状を有している。
【００１１】
ＨＤＤの電源がオフとなって，ディスク２０の回転が停止すれば，ＶＣＭはスイングアーム３２を時計回り（矢印Ｂ方向）に回転させ，これにより，エンドタップ３５はディスク２０からランプ４０の支持面４３上にアンローディングされる。一方，再度ＨＤＤの電源をオンしてディスク２０が回転し始めれば，前述したようにスイングアーム３２の回転によってエンドタップ３５はランプ４０の支持面４３からディスク２０上にローディングされる。
【００１２】
上記のようにヘッドがランプ４０にパーキングされた状態では，ハードディスクドライブに加えられる外部衝撃や振動によってアクチュエータ３０が任意に回転してしまい，上記ヘッドがランプ４０を外れてディスク２０の記録面に動かされる可能性がある。このような場合には，上記ヘッドがディスク２０の記録面に接触して，ヘッドおよび／またはディスク２０の記録面が損傷されうる。したがって，ディスク２０の回転が停止し，ヘッドがランプ４０にパーキングされる状態では，アクチュエータ３０が任意に回転しないように所定の位置にロッキングする必要がある。このためＨＤＤには，アクチュエータラッチ５０が設けられている。
【００１３】
一方，ディスク２０の外側には，ハードディスクドライブ内部で流動する空気に含まれている微粒子をフィルタリングするためのフィルタ６０が設けられている。
【００１４】
しかし，上記のような構造を有するランプローディング方式のＨＤＤにおいて，エンドタップ３５がディスク２０側に移動するか，またはランプ４０の支持面４３上に移動する時には，エンドタップ３５とランプ４０の支持面４３間に摺動摩擦が起こる。このような摩擦が反復される場合，一般的に，プラスチックよりなるランプ４０の支持面４３が摩耗して微粒子が発生する。
【００１５】
図３は，従来のエンドタップ３５の周囲に付着した微粒子の一例を示す。上記アクチュエータ３０のサスペンション３３やスライダ３４には，その製造時に生成されたバー（ｂｕｒｒｓ）のような微粒子が付着されている。このような微粒子は，エンドタップ３５のローディングおよびアンローディング時の衝撃によってディスク２０の表面に落ち，ディスク２０の表面，特にランプ４０に隣接した部位であるディスク２０の外側のエッジ部近傍の表面に付着される。
【００１６】
このようにディスク２０の表面に付着した微粒子は，ディスク２０の回転による遠心力と空気の流れとによってもディスク２０の表面から容易に落ちることがない。通常，ハードディスクドライブには上述したフィルタ６０が設けられているが，このフィルタ６０はハードディスクドライブ内で流動する空気に含まれている微粒子のみフィルタリングすることができ，ディスク２０の表面に付着した微粒子は除去できない。結局，このような微粒子はディスク２０の表面を汚染させ，ディスク２０の回転中，ディスク２０の表面の微粒子とヘッドとがぶつかることによってディスク２０の表面が損傷する。また，ディスク２０に留まらず，ヘッドまで汚染または損傷する問題点が発生する。
【００１７】
一方，特許文献１にはスクイズ（ｓｑｕｅｅｚｅ）板が設けられたＨＤＤが開示されている。しかし，このスクイズ板は，ディスクの振動を規制する役割を行うものであって，ディスクの表面上に付着した微粒子を除去することはできない。
【００１８】
【特許文献１】特開２００１−１０１８１４号公報
【発明の開示】
【発明が解決しようとする課題】
【００１９】
本発明は，上述の従来技術における問題点を解決するために創出されたものであって，ディスクの回転によるディスク表面上の流動空気の圧力を変化させ，ディスク表面上の微粒子を効果的に除去することが可能なデータ記憶装置用微粒子除去装置，データ記憶装置用ランプおよびデータ記憶装置を提供することにその目的がある。
【課題を解決するための手段】
【００２０】
上記課題を達成するために本発明は，ディスクの表面に付着した微粒子（ｐａｒｔｉｃｌｅ）を除去するためのデータ記憶装置（ＤＡＴＡ  ＳＴＯＲＡＧＥ  ＤＥＶＩＣＥ）用微粒子除去装置において：上記データ記憶装置のベースプレートに固定される固定部と；上記固定部から上記ディスク側に延設され，上記ディスクの上面および底面とそれぞれオーバーラップする加圧板と；を備え，上記加圧板のディスク対向面は，上記ディスク側に凸状に形成され，上記ディスクが回転し，上記加圧板を通過するとき，回転方向に沿って上記ディスク対向面と上記ディスク間の間隔が次第に狭くなり，再び次第に広くなることを特徴とする，データ記憶装置用微粒子除去装置を提供する。
【００２１】
ここで，上記加圧板のディスク対向面は，回転方向に流線型の曲面で形成されるとしても良い。
【００２２】
上記加圧板は，上記ディスクの外側のエッジ部近傍の表面とオーバーラップするとしても良いし，上記ディスクの内周に隣接した位置まで延びるとしても良い。後者の場合，上記加圧板は，上記ディスクの内周から外郭側に向かうにつれて次第に広くすることも可能である。
【００２３】
上記固定部と加圧板とはプラスチック射出成形によって一体に形成されうる。
【００２４】
一方，上記固定部と加圧板とは別途，別体に形成された後，相互結合されるとしても良い。
【００２５】
上記微粒子除去装置は，上記ディスクの回転停止時に読出し／書込みヘッドをパーキングさせるためのランプを有するデータ記憶装置に設置されうる。この場合，上記微粒子除去装置は，上記ランプに隣接して設置されるとしても良い。
【００２６】
本発明の他の観点によると，ディスクの回転停止時に読出し／書込みヘッドをパーキングさせるデータ記憶装置用ランプにおいて：上記データ記憶装置のベースプレートに固定される固定部と；上記固定部から上記ディスク側に延設され，上記ディスクの外側のエッジ部の上面および底面とそれぞれオーバーラップし，上記ディスクの回転停止時にアクチュエータのエンドタップが接触支持される支持面を有する支持部と；上記ディスクの表面に付着した微粒子を除去するために，上記固定部から上記ディスク側に延設され，上記ディスクの上面および底面とそれぞれオーバーラップし，上記ディスクが回転し，上記加圧板を通過するとき，回転方向に沿って上記ディスクとの間隔が次第に狭くなり，再び次第に広くなるように上記ディスク側に凸状に形成されたディスク対向面を有する加圧板と；を備えるデータ記憶装置用ランプが提供される。
【００２７】
ここで，上記固定部と支持部および加圧板は，プラスチック射出成形によって一体に形成されることが望ましい。ここで，プラスチック射出成形は，プラスチック材料を加熱して流動状態にし、閉じた金型の空洞部(キャビティ)に加圧注入し金型内で固化させることにより、金型空洞部に相当する形を造る方法をいう。
【００２８】
また，本発明は，ディスクと；上記ディスクに隣接して配置され，上記ディスクの表面に付着した微粒子を除去する微粒子除去装置と；を備え，上記微粒子除去装置は，データ記憶装置のベースプレートに固定される固定部と；上記固定部から上記ディスク側に延設され，上記ディスクの上面および底面とそれぞれオーバーラップする加圧板と；を備え，上記加圧板のディスク対向面は，上記ディスク側に凸状に形成され，上記ディスクが回転し，上記加圧板を通過するとき，回転方向に沿って上記ディスク対向面と上記ディスク間の間隔が次第に狭くなり，再び次第に広くなることを特徴とする，データ記憶装置を提供する。
【００２９】
また，本発明は，複数のディスクと；上記ディスクの表面に付着した微粒子を除去するため，上記複数のディスクに隣接配置された微粒子除去装置と；を備え，上記微粒子除去装置は，上記データ記憶装置のベースプレートに固定される固定部と；上記固定部から上記ディスク側に延設され，上記ディスク間に介在される加圧板と；を備え，上記加圧板のディスク対向面は，上記ディスク側に凸状に形成され，上記ディスクが回転し，上記加圧板を通過するとき，回転方向に沿って上記ディスク対向面と上記ディスク間の間隔が次第に狭くなり，再び次第に広くなることを特徴とする，データ記憶装置も提供する。
【発明の効果】
【００３０】
以上説明したように，本発明によるデータ記憶装置用の微粒子除去装置によれば，ディスクの表面と加圧板間を通過する流動空気の圧力の変化によって，ディスク表面上の微粒子，特にディスクの外側のエッジ部の表面に付着した微粒子を効果的に除去できるので，微粒子によるディスク表面およびヘッドの汚染および損傷が防止され，データ記憶装置の信頼性が向上する。
【００３１】
また，本発明による微粒子除去装置をヘッドのパーキングのためのランプに一体に形成すれば，その製造工程およびコストの増加も最小化できる。
【発明を実施するための最良の形態】
【００３２】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００３３】
図４は，本発明の第１の実施形態による微粒子除去装置が備わったＨＤＤを部分的に示す平面図であり，図５は，図４に示された微粒子除去装置を示す斜視図であり，図６は図５に表示されたＸ−Ｘ’線に沿う微粒子除去装置の縦断面図である。
【００３４】
図４〜図６を共に参照すれば，本発明の第１の実施形態による微粒子除去装置１００は，ランプローディング方式のヘッドパーキングシステムを有するＨＤＤ等のデータ記憶装置に適用されうる。前述したように，ランプローディング方式のハードディスクドライブでは，ディスク２０の外郭側にランプ４０が設置され，ハードディスクドライブの作動停止時には，アクチュエータ３０のサスペンション３３の端部に延設されたエンドタップ３５が上記ランプ４０の支持部４２の支持面４３上にパーキングされる。
【００３５】
このようなランプローディング方式のヘッドパーキングシステムにおいては，前述したようにディスク２０の表面，特にランプ４０に隣接した部位のディスク２０の外側のエッジ部近傍の表面に多くの微粒子が付着し，このような微粒子は，ディスク２０およびヘッドを汚染または損傷させ，ハードディスクドライブの性能に様々な悪影響を及ぼす。
【００３６】
本実施形態による微粒子除去装置１００は，上記微粒子をディスク２０の表面から除去するものであって，固定部１１０と加圧板１２０とを備えている。
【００３７】
上記固定部１１０は，ＨＤＤのベースプレート１０にネジ１１２またはその他の手段によって固定される。また，上記固定部１１０は，ディスク２０の外側のエッジ部に隣接して配置される。
【００３８】
上記加圧板１２０は，上記固定部１１０からディスク２０側に延設されてディスク２０の表面にオーバーラップする。特に，本発明の第１の実施形態による微粒子除去装置１００において，上記加圧板１２０は，ディスク２０の外側のエッジ部近傍の表面とオーバーラップされるように形成される。これは，前述したようにランプ４０周辺から発生する微粒子のほとんどがディスク２０の外側のエッジ部近傍の表面に付着するからである。こうして上記微粒子を効果的に除去することができる。
【００３９】
そして，上記加圧板１２０は，ディスク２０の上面および底面それぞれにオーバーラップするように形成される。したがって，データ記憶装置に図示の２枚のディスク２０が設けられている場合には，上部ディスク２０ａの上側，下部ディスク２０ｂの下側，および，上部ディスク２０ａと下部ディスク２０ｂと間にそれぞれ少なくとも一つの加圧板１２０が配置される。一方，１枚のディスクのみが設けられている場合には，このディスクの上側および下側にそれぞれ一つの加圧板が配置される。また，３つ以上のディスクが設置された場合にも，上記のように必要な数だけ加圧板が配置される。
【００４０】
上記のように少なくとも２つ設けられる加圧板１２０は，プラスチック射出成形によって上記固定部１１０と共に一体に形成することができる。これにより，固定部１１０と，複数の加圧板１２０を有する微粒子除去装置１００との製造工程やコストが節減され，全体的に一つの部品を形成するので取扱いや組立ても簡便になる。また，かかる場合に限られず，固定部１１０と複数の加圧板１２０とを別途に製造した後，これらを所定の結合手段によって結合させることによって微粒子除去装置１００を構成することも可能である。
【００４１】
そして，図６に示されたように，上記加圧板１２０それぞれのディスク対向面１２２は，ディスク２０の回転方向（矢印Ｄ方向）に沿ってディスク２０との間隔が次第に狭くなり，所定の凸部を通過すると再び次第に広くなるように形成される。すなわち，上記加圧板１２０それぞれのディスク対向面１２２は，ディスク２０側に凸状に形成される。上記加圧板１２０それぞれのディスク対向面１２２は，相互に反対方向に向けて傾斜した２つの平面より形成することも可能であるが，図示したように，流線型の曲面に形成することもできる。これは，後述するように，ディスク対向面１２２とディスク２０表面間の空気の流れをさらに円滑に形成することによって，乱流によるディスク２０の振動の発生を抑制するためのものである。
【００４２】
ここで，ディスク２０が回転し始めれば，上記加圧板１２０のディスク対向面１２２とディスク２０の表面間に空気が流入される。流入された空気は，最初，ディスク対向面１２２とディスク２０間の間隔が次第に狭くなるので，加圧され，その圧力が高まる。上記流動空気がディスク対向面１２２とディスク２０の表面間の間隔が最も狭い部位を通過すれば，ディスク対向面１２２とディスク２０間の間隔が次第に広くなるので，流動空気の圧力が低くなり，その流速は急激に速くなる。これにより，ディスク２０の表面上に付着した微粒子Ｐはディスク２０の表面から容易に分離し，除去される。このように，ディスク２０の表面から除去された微粒子は流動空気に沿って流れ，ＨＤＤ内に設けられたフィルタ（図１の６０参照）によってフィルタリングされる。
【００４３】
上記のように，本発明の第１の実施形態による微粒子除去装置１００によれば，ディスク２０の表面と加圧板１２０間を通過する流動空気の圧力が変化し，流速が速くなるにつれてディスク２０の表面上の微粒子，特にディスク２０の外側のエッジ部近傍の表面に付着した微粒子Ｐが効果的に除去されうる。したがって，微粒子Ｐによるディスク２０の表面およびヘッドの汚染および損傷が防止され，ＨＤＤの信頼性が向上する。
【００４４】
一方，上記のように作用する微粒子除去装置１００は，上記ランプ４０に隣接して設置することが望ましい。これは，前述したようにランプ４０の周辺で多くの微粒子が発生するためであり，このような微粒子をさらに効果的に除去できるからである。
【００４５】
図７は，本発明の第２の実施形態による微粒子除去装置を示す斜視図である。
【００４６】
図７を参照すれば，本発明の第２の実施形態による微粒子除去装置２００も，前述した第１の実施形態のようにベースプレート１０に固定される固定部２１０と，上記固定部２１０からディスク２０側に延設されてディスク２０の上面および底面それぞれにオーバーラップする複数の加圧板２２０とを備える。
【００４７】
上記固定部２１０は，ネジ２１２または他の締結手段によってベースプレート１０に固定され，上記固定部２１０と複数の加圧板２２０とはプラスチック射出成形によって一体に形成される。
【００４８】
上記加圧板２２０のＸ−Ｘ’線に沿う断面形状は，図６に示されたものと同じである。すなわち，複数の加圧板２２０それぞれのディスク対向面は，ディスク２０の回転方向（矢印Ｄ方向）に沿ってディスク２０との間隔が次第に狭くなり，所定の凸部を通過すると再び次第に広くなるように形成される。ここで，上記ディスク対向面は，流線型の曲面に形成されるとしても良い。したがって，本発明の第２の実施形態による微粒子除去装置２００によっても前述したようにディスク２０表面上の微粒子を効果的に除去できる。
【００４９】
特に，本発明の第２の実施形態による微粒子除去装置２００において，上記加圧板２２０は，ディスク２０の内周に隣接した位置まで，すなわちスピンドルモータ２０の近くまで延びている。そして，上記加圧板２２０は，ディスク２０の内周から外郭側に行くほどその幅が次第に広くなるように形成された方が望ましい。これは，比較的長い上記加圧板２２０の剛性をさらに高めるためのものである。
【００５０】
上記のような構造を有する本発明の第２の実施形態による微粒子除去装置２００によれば，ディスク２０の外側のエッジ部近傍の表面に付着した微粒子だけでなく，ディスク２０のほぼ全表面上の微粒子を容易に除去できる長所を備える。
【００５１】
図８は，本実施形態による微粒子除去装置を有するランプが備わったＨＤＤを部分的に示した平面図であり，図９は，図８に示されたランプを拡大して示す斜視図である。
【００５２】
図８および図９を参照すれば，本実施形態によるランプ３００には上記微粒子除去装置が一体に形成される。すなわち，上記ランプ３００は，ハードディスクドライブの作動停止時にアクチュエータ３０のサスペンション３３の端部に延設されたエンドタップ３５を支持してヘッドをパーキングさせる機能と共に，ディスク２０の表面上の微粒子を除去する機能を有する。このために，上記ランプ３００は，固定部３１０と，エンドタップ３５を支持するための支持部３２０と，ディスク２０の表面上の微粒子を除去するための加圧板３３０と，を備える。
【００５３】
上記固定部３１０は，ＨＤＤのベースプレート１０にネジ３１２またはその他の手段によって固定される。また，上記固定部３１０は，ディスク２０の外側のエッジ部に隣接して配置される。
【００５４】
上記支持部３２０は，上記固定部３１０からディスク２０側に延設され，ディスク２０の外側のエッジ部の上面および底面それぞれにオーバーラップし，上記ディスク２０の回転停止時に上記エンドタップ３５が接触支持される支持面３２２を有する。そして，上記支持部３２０は，一つのディスク２０に対してその上側と下側とにそれぞれ一つずつ設けられる。
【００５５】
上記加圧板３３０は，ディスク２０の表面に付着した微粒子を除去するためのものであって，上記固定部３１０からディスク２０側に延設されてディスク２０の上面および底面それぞれにオーバーラップされる。特に，上記加圧板３３０は，ディスク２０の外側のエッジ部近傍の表面とオーバーラップされるように形成される。そして，上記加圧板３３０は，前述したようにディスク２０の数に応じて必要な数が設けられる。
【００５６】
上記加圧板３３０それぞれのディスク対向面３３２は，ディスク２０の回転方向（矢印Ｄ方向）に沿ってディスク２０との間隔が次第に狭くなり，所定の凸部を通過すると再び次第に広くなるように形成され，図示するように流線型の曲面に形成することが前述した理由で望ましい。
【００５７】
ＨＤＤの電源がオフとなってディスク２０の回転が停止した場合，スイングアーム３２は，時計回りに回転しつつ，エンドタップ３５をディスク２０からランプ３００の支持面３２２上にアンローディングする。これにより，アクチュエータ３０のサスペンション３３に支持されるスライダ３４に搭載されたヘッドがランプ３００にパーキングされる。一方，ＨＤＤの電源がオンとなって，再びディスク２０が回転し始めれば，スイングアーム３２の回転に応じて，エンドタップ３５は，ランプ３００の支持面３２２からディスク２０上に移動し，これにより，ディスク２０の表面上に上記ヘッドがローディングされる。
【００５８】
この時，ディスク２０の回転によって形成された流動空気は，ディスク対向面３３２とディスク２０の表面間に流入され，これらの間において，前述したようにその圧力の変化と共にその流速が速くなる。したがって，ディスク２０の表面上の微粒子，特にディスク２０の外側のエッジ部近傍の表面に付着した微粒子が効果的に除去されうる。
【００５９】
上記のように，ヘッドパーキング機能と微粒子除去機能とを共に有するランプ３００の固定部３１０，支持部３２０および加圧板３３０は，プラスチック射出成形によって一体に形成されうる。したがって，上記ランプ３００の製造に費やす工程およびコストの増加を最小化でき，全体的に一つの部品を形成するので，取扱いや組立てが簡便になる。
【００６０】
本発明は，図面に示された実施形態を参考として説明されたが，これは例示的なものに過ぎず，当業者なら，これから多様な変形および均等な他の実施形態が可能であることが分かる。例えば，上記本実施形態による微粒子除去装置は，ランプローディング方式のＨＤＤを基準として説明されたが，これに限定されるものではない。すなわち，第１および第２の実施形態による微粒子除去装置は，ＣＳＳ方式のＨＤＤにも採用され，またＨＤＤだけでなく，多様な種類のディスクドライブにも採用されうる。したがって，本発明の真の技術的保護範囲は，特許請求の範囲によって決定されなければならない。
【産業上の利用可能性】
【００６１】
本発明は，ディスク表面上の微粒子を効果的に除去可能なデータ記憶装置用微粒子除去装置，データ記憶装置用ランプおよびデータ記憶装置に適応可能である。
【図面の簡単な説明】
【００６２】
【図１】従来のランプローディング方式のヘッドパーキングシステムが採用されたＨＤＤを概略的に示す平面図である。
【図２】図１に示されたランプ部位を拡大して示す斜視図である。
【図３】図２に示されたエンドタップ部位の微粒子を示す顕微鏡写真である。
【図４】本発明の第１の実施形態による微粒子除去装置が備わったＨＤＤを部分的に示す平面図である。
【図５】図４に示された微粒子除去装置を示す斜視図である。
【図６】図５に表示されたＸ−Ｘ’線に沿う微粒子除去装置の縦断面図である。
【図７】本発明の第２の実施形態による微粒子除去装置を示す斜視図である。
【図８】本実施形態による微粒子除去装置を有するランプが備わったＨＤＤを部分的に示す平面図である。
【図９】図８に示されたランプを拡大して示す斜視図である。
【符号の説明】
【００６３】
２０    ディスク
３００  ランプ
３１０  固定部
３１２  ネジ
３２０  支持部
３２２  支持面
３３０  加圧板
３３２  ディスク対向面
【図１】
2004355798.tif 000003
【図２】
2004355798.tif 000004
【図４】
2004355798.tif 000005
【図５】
2004355798.tif 000006
【図６】
2004355798.tif 000007
【図７】
2004355798.tif 000008
【図８】
2004355798.tif 000009
【図９】
2004355798.tif 000010
【図３】
2004355798.tif 000011